(57)【要約】【課題】強度を十分に備えたうえで、しかも、収容物の視認性を低下させずに収容物の新鮮さやおいしさをそのまま伝えることができる包装用容器の提供。【解決手段】底面部１０と該底面部１０の周縁から上方に延びる側壁部とを備え、該側壁部は、複数のコーナー部２１を有する水平方向断面視多角形状である透明の包装用容器であって、コーナー部２１には、水平方向断面形状が外側に湾曲した曲線状である曲面形状部２１ｂと、該曲面形状部２１ｂの下側に位置し、水平方向断面形状が直線状である平面形状部２１ａとが設けられ、曲面形状部２１ｂから平面形状部２１ａまで水平方向断面形状が段差なく連続的に変化している。【選択図】図１
2018100094.tif 000002
【特許請求の範囲】
【請求項１】
底面部と該底面部の周縁から上方に延びる側壁部とを備え、該側壁部は、複数のコーナー部を有する水平方向断面視多角形状である透明の包装用容器であって、
コーナー部には、水平方向断面形状が外側に湾曲した曲線状である曲面形状部と、該曲面形状部の下側に位置し、水平方向断面形状が直線状である平面形状部とが設けられ、
曲面形状部から平面形状部まで水平方向断面形状が段差なく連続的に変化していることを特徴とする包装用容器。
【請求項２】
側壁部は、底面部に対する傾斜角度が相対的に小さい緩傾斜部と、該緩傾斜部の上側に屈曲部を介して延設され、底面部に対する傾斜角度が相対的に大きく且つ緩傾斜部よりも上下方向の寸法が大きい急傾斜部とを備え、該急傾斜部におけるコーナー部に曲面形状部と平面形状部が形成されている請求項１記載の包装用容器。
【請求項３】
透明の容器本体と該容器本体に嵌合される透明の蓋とを備え、容器本体は、底面部と該底面部の周縁から上方に延びる側壁部とを備え、該側壁部は、複数のコーナー部を有する水平方向断面視多角形状である包装用容器であって、
コーナー部には、水平方向断面形状が外側に湾曲した曲線状である曲面形状部と、該曲面形状部の下側に位置し、水平方向断面形状が直線状である平面形状部とが設けられ、
曲面形状部から平面形状部まで水平方向断面形状が段差部なく連続的に変化していることを特徴とする包装用容器。
【発明の詳細な説明】
【技術分野】
【０００１】
本発明は、カットフルーツ等の食品を収容することに適した、全体を透明な容器として視認性を向上させた包装用容器に関する。
【背景技術】
【０００２】
近年では、コンビニエンスストアやスーパーマーケット等で、衛生的である合成樹脂シート製の包装用容器に食品を入れて運搬、陳列して販売されており、そのための容器も多岐にわたって製造されている。
【０００３】
このような容器として、下記特許文献１，２には、容器のコーナー部に、縦長リブを開口部からコーナー部の下端部分まで設けた容器が開示されており、この縦長リブによって、剛性を十分に備えた容器とすることができるとされている。また、コーナー部の下部に屈曲した屈曲部を形成しておき、縦長リブがこの屈曲部の頂点を通過して屈曲部内に至るよう形成することで剛性を備えた容器とすることができることが開示されている。
【０００４】
しかしながら、下記特許文献１，２のように、コーナー部に開口部から下端部分まで補強のための縦長リブを設けると、収容したカットフルーツ等の食品の視認性がコーナー部において著しく低下することになる。
【先行技術文献】
【特許文献】
【０００５】
【特許文献１】特開２０１６―１４７７１１号公報
【特許文献２】特開２０１６―１４７６９２号公報
【発明の概要】
【発明が解決しようとする課題】
【０００６】
そこで、本発明者らは、求められる容器の強度を十分に備えたうえで、しかも、収容物の視認性を低下させずに収容物の新鮮さやおいしさをそのまま伝えることができる、という相反する要求を満足させるべく鋭意研究した結果、本発明の容器を完成させたものである。
【課題を解決するための手段】
【０００７】
即ち、本発明に係る包装用容器は、底面部と該底面部の周縁から上方に延びる側壁部とを備え、該側壁部は、複数のコーナー部を有する水平方向断面視多角形状である透明の包装用容器であって、コーナー部には、水平方向断面形状が外側に湾曲した曲線状である曲面形状部と、該曲面形状部の下側に位置し、水平方向断面形状が直線状である平面形状部とが設けられ、曲面形状部から平面形状部まで水平方向断面形状が段差なく連続的に変化していることを特徴とする。
【０００８】
該構成の包装用容器にあっては、コーナー部に曲面形状部と平面形状部とが設けられていると共に、曲面形状部から平面形状部まで水平方向断面形状が段差なく連続的に変化しているので、側壁部を構成している複数の壁面部や底面部にリブを設けなくても十分な強度を確保できる。そのため、容器の視認性をきわめて高く向上でき、コーナー部における視認性の低下も防止できる。特に、底面部を上にして使用する上下逆向きの陳列方法にも適しており、このように通常の容器の陳列とは上下を逆にして利用することで、カットフルーツやサラダ等の収容物の視認性を向上させることができ、ひいては収容物の新鮮さやおいしさを伝えることができる。
【０００９】
特に、側壁部は、底面部に対する傾斜角度が相対的に小さい緩傾斜部と、該緩傾斜部の上側に屈曲部を介して延設され、底面部に対する傾斜角度が相対的に大きく且つ緩傾斜部よりも上下方向の寸法が大きい急傾斜部とを備え、該急傾斜部におけるコーナー部に曲面形状部と平面形状部が形成されていることが好ましい。このように側壁部の下部に緩傾斜部が形成されることによって側壁部の強度を向上できる。また、緩傾斜部と急傾斜部との間に屈曲部が形成されることによっても側壁部の強度を向上できる。そして、急傾斜部は上下方向の寸法が大きいが、その急傾斜部に曲面形状部と平面形状部が形成されているので、上下方向の寸法が大きい急傾斜部の強度も十分に確保できる。更には、上下方向の寸法が大きい急傾斜部における視認性も向上させることができる。
【００１０】
また、本発明に係る包装用容器は、透明の容器本体と該容器本体に嵌合される透明の蓋とを備え、容器本体は、底面部と該底面部の周縁から上方に延びる側壁部とを備え、該側壁部は、複数のコーナー部を有する水平方向断面視多角形状である包装用容器であって、コーナー部には、水平方向断面形状が外側に湾曲した曲線状である曲面形状部と、該曲面形状部の下側に位置し、水平方向断面形状が直線状である平面形状部とが設けられ、曲面形状部から平面形状部まで水平方向断面形状が段差なく連続的に変化していることを特徴とする。
【発明の効果】
【００１１】
以上のように、コーナー部に曲面形状部と平面形状部とが設けられ、曲面形状部から平面形状部まで水平方向断面形状が段差なく連続的に変化しているので、容器の強度を十分に確保でき、しかも、収容物の視認性が低下することがなく、収容物の新鮮さやおいしさをそのまま伝えることができる。特に、底面部を上にした上下逆向きの陳列方法に適している。
【図面の簡単な説明】
【００１２】
【図１】本発明の一実施形態における包装用容器の容器本体を示す斜視図。
【図２】同包装用容器の蓋を示す斜視図。
【図３】同包装用容器の容器本体の正面図。
【図４】図３のＡ−Ａ端面図。
【図５】図１のＢ−Ｂ端面図。
【図６】（ａ）は図１のＣ−Ｃ端面図、（ｂ）は図１のＤ−Ｄ端面図。
【図７】同包装用容器の閉蓋状態であって上下逆向きの状態を示す斜視図。
【図８】（ａ）〜（ｄ）は同包装用容器の蓋の突起の態様を示す模式図。
【図９】本発明の他の実施形態における包装用容器の容器本体を示す斜視図。
【図１０】同包装用容器の容器本体の正面図。
【図１１】図１０のＥ−Ｅ端面図。
【図１２】図９のＦ−Ｆ端面図。
【図１３】（ａ）は図９のＧ−Ｇ端面図、（ｂ）は図９のＨ−Ｈ端面図、（ｃ）は図９のＩ−Ｉ端面図。
【発明を実施するための形態】
【００１３】
以下、本発明の一実施形態に係る包装用容器について図１〜図８を参酌しつつ説明する。本実施形態における包装用容器は、種々の食品（食材）の収容に適したものであって、食品の種類は特には問わないが、特に、サラダやカットフルーツ等、鮮度が購買意欲に大きな影響を与える食品に適している。
【００１４】
本実施形態における包装用容器は、図１及び図２のように、上面開口の容器本体１と、該容器本体１の上面開口部を閉塞すべく容器本体１に着脱可能に装着される蓋２とを備えており、容器本体１と蓋２は、何れも透明であって収容物を容器外部から視認できる。容器本体１と蓋２は何れも透明な合成樹脂シートを熱成形することにより形成されたものである。容器本体１と蓋２は、互いに嵌合する構成を備えることが好ましく、本実施形態では容器本体１の内側に蓋２が嵌合する内嵌合構造が採用されているが、容器本体１の外側に蓋２が嵌合する外嵌合構造であってもよい。
【００１５】
＜容器本体１＞
容器本体１は、底面部１０と該底面部１０の周縁から上方に向けて延びる側壁部と、該側壁部の上端から外方に向けて延びるフランジ部とを備えている。容器本体１の平面視形状は多角形状である。尚、角丸形状であってよい。底面部１０の平面視形状は多角形状であり、側壁部を水平方向に切断した水平方向断面形状も多角形状であり、上面開口部の開口形状も多角形状である。尚、フランジ部の内縁の平面視形状は上面開口部の開口形状であって多角形状であるが、フランジ部の外縁の平面視形状は多角形状であってもよいし、多角形状でなくてもよい。本実施形態では、底面部１０からフランジ部まで全体が平面視多角形状であって、特には矩形であり、更には正方形状である。
【００１６】
＜底面部１０＞
底面部１０は平面視正方形状であり、その外縁は四つの辺から構成される。底面部１０にはリブ等の凹凸形状が形成されておらず、底面部１０は水平な平坦面からなる。
【００１７】
＜側壁部＞
側壁部は、全体として角筒状であって、底面部１０の辺の数に対応した数の壁面部２０から構成されている。本実施形態では底面部１０が四つの辺を有しているため、側壁部は、それに対応して四つの壁面部２０から構成されている。各壁面部２０は、底面部１０の各辺から上方に向けて延びている。四つの壁面部２０は周回方向に隣り合っていて、隣り合う壁面部２０同士の間には上下方向に延びるコーナー部２１が形成されている。
【００１８】
また、側壁部の各部を上下方向に見ると、図１、図３及び図４のように、側壁部は、底面部１０の周縁から上方に拡開しつつ延びる角筒状の側壁主部３０と、該側壁主部３０の上側に一段外側に拡がる段差部３１を介して延設され、上方に向けて徐々に内側に向かう角筒状の内嵌合部３２とに区画される。側壁主部３０は、側壁部の全体のうち側壁部の下端から上端に近い箇所までの大部分の領域を占める部分であって、内嵌合部３２は、側壁主部３０の最上部を構成する部分である。尚、底面部１０と側壁主部３０との境界部分には、上下方向に沿って外側に湾曲した曲面部３３が形成されている。
【００１９】
＜側壁主部３０＞
側壁主部３０は、本実施形態では、更に上下二つの領域に区画できる。即ち、側壁主部３０は、側壁主部３０の下部を構成する角筒状の緩傾斜部３０ａと、側壁主部３０の上部を構成する角筒状の急傾斜部３０ｂとから構成されており、従って、緩傾斜部３０ａは側壁部の最下部を構成している。急傾斜部３０ｂの上下方向の寸法は、緩傾斜部３０ａの上下方向の寸法よりも大きく、従って、急傾斜部３０ｂが側壁主部３０の主たる部分となっている。緩傾斜部３０ａは、底面部１０の周縁から上方に向けて所定の傾斜角度で拡開しつつ延びていて、急傾斜部３０ｂは、緩傾斜部３０ａの上端から上方に向けて所定の傾斜角度で拡開しつつ段差部３１の内縁まで延びている。緩傾斜部３０ａの傾斜角度と急傾斜部３０ｂの傾斜角度は、何れも水平面である底面部１０に対する傾斜角度、即ち立ち上がり角度であって、急傾斜部３０ｂの傾斜角度は、緩傾斜部３０ａの傾斜角度よりも大きい。尚、緩傾斜部３０ａの傾斜角度は４５度以上としてよい。このように緩傾斜部３０ａの傾斜角度と急傾斜部３０ｂの傾斜角度が互いに異なっていることから、緩傾斜部３０ａと急傾斜部３０ｂとの境界部分には上下方向に折れ曲がった屈曲部３０ｃが形成されている。該屈曲部３０ｃは側壁部の全周に亘って水平方向に延びている。
【００２０】
側壁主部３０のコーナー部２１を除く四つの壁面部２０にはリブ等の凹凸形状を形成しないことが必要である。四つの壁面部２０は、それぞれ、緩傾斜部３０ａを構成する下部傾斜面２０ａと、急傾斜部３０ｂを構成する上部傾斜面２０ｂとを備えている。下部傾斜面２０ａと上部傾斜面２０ｂは、屈曲部３０ｃを介して上下に隣り合っている。従って、側壁主部３０は、合計四つの下部傾斜面２０ａと四つの上部傾斜面２０ｂとを備えている。下部傾斜面２０ａと上部傾斜面２０ｂは、何れもリブ等の凹凸形状のない平面から構成されている。但し、下部傾斜面２０ａと上部傾斜面２０ｂは、容器外側もしくは容器内側に向けて上下方向あるいは水平方向に湾曲した凸面状又は凹面状に湾曲していてもよい。
【００２１】
＜コーナー部２１＞
側壁主部３０は、四つのコーナー部２１を有している。四つのコーナー部２１は全て同じ構成である。コーナー部２１は、図６のように、水平方向断面形状（水平方向に切断したときの断面形状）が外側に円弧状に湾曲した曲線状である曲面形状部２１ｂと、水平方向断面形状が直線状である平面形状部２１ａとを備えている。曲面形状部２１ｂは、水平方向に隣り合う壁面部２０同士を曲面で結んでいて、その中心角は本実施形態では略９０度である。平面形状部２１ａは、水平方向に隣り合う壁面部２０同士を平面で結んでおり、従って、左右の壁面部２０と平面形状部２１ａとは互いに屈曲した関係にあり、壁面部２０と平面形状部２１ａとの間の屈曲角度は本実施形態では略４５度である。
【００２２】
曲面形状部２１ｂは上側に位置し、平面形状部２１ａは曲面形状部２１ｂの下側に位置している。そして、コーナー部２１における水平方向断面形状は、曲面形状部２１ｂから平面形状部２１ａまで、段差のない状態で滑らかに連続的に変化している。即ち、曲面形状部２１ｂと平面形状部２１ａとの間には、水平方向断面形状が上下方向に連続的に変化している形状変化部２１ｃが存在している。図５にコーナー部２１をその水平方向中央部において上下方向に切断した断面形状を示しているが、上側に位置する曲面形状部２１ｂから下側に位置する平面形状部２１ａまで段差は存在せずに滑らかに連続した形状となっている。曲面形状部２１ｂの外側への膨らみの程度が下側に向けて徐々に小さくなっていって最終的には膨らみが全くない状態の平面形状部２１ａとなる。
【００２３】
曲面形状部２１ｂと形状変化部２１ｃと平面形状部２１ａは、コーナー部２１のうち急傾斜部３０ｂに形成されている。具体的には、曲面形状部２１ｂは、急傾斜部３０ｂの最上部に位置し、急傾斜部３０ｂの上端から下方に所定長さ延びている。平面形状部２１ａは、急傾斜部３０ｂの最下部に位置し、急傾斜部３０ｂの下端から上方に所定長さ延びている。そして、形状変化部２１ｃは急傾斜部３０ｂの上下方向の中途部に位置している。尚、コーナー部２１の緩傾斜部３０ａは、その全体が平面形状部２１ａとなっている。
【００２４】
＜内嵌合部３２＞
側壁主部３０の上側に段差部３１を介して内嵌合部３２が形成されている。段差部３１は、側壁主部３０の上端と内嵌合部３２の下端との間を連結していて、側壁主部３０の上端から外側に向けて内嵌合部３２の下端まで略水平に延びている。内嵌合部３２は、段差部３１の外縁から上側に向けて徐々に内側となるように傾斜している。即ち、内嵌合部３２は、上側ほど内側となる逆テーパ状に形成されている。
【００２５】
＜フランジ部＞
内嵌合部３２の上端から外側に向けてフランジ部が形成されている。フランジ部は全周に亘って形成されている。フランジ部の水平方向の寸法である幅は周回方向に沿って変化していてもよく、一定幅であってもよい。
【００２６】
フランジ部は、内嵌合部３２の上端から外側に向けて略水平に延びる水平部１２ａと、該水平部１２ａの外縁から下方に垂直あるいは傾斜しつつ延びるスカート部１２ｂとを備えて構成することができる。また、スカート部１２ｂの下端から外側に向けて外周縁部１２ｃを延設してよい。この外周縁部１２ｃは略水平に設けたり若干下方に傾斜して設けたりしてよい。外周縁部１２ｃには、極細の多数の凹凸を形成し、補強するとともに、指などがあたっても、指などを切ることがないようにされてよい。この凹凸は、外周縁部１２ｃの外縁側にのみ形成してもよいし、外周縁部１２ｃの外縁から内縁まで全幅に亘って形成してもよいし、外周縁部１２ｃの外縁からスカート部１２ｂにかけて連続するように形成してもよい。この凹凸は、正面から拡大して見たときに波形状とされ、多数の山と谷の方向が容器本体１の内外方向に沿っていて、フランジ部が角部を有する場合にはその角部と中心部とを結ぶ方向（放射方向）に平行に形成される。また、この凹凸は、例えば、平目ローレット目や綾目ローレット目のようなローレット目によって形成され、さらには、滑りにくいようにするため、綾目ローレット目によって形成することが好ましい。
【００２７】
＜蓋２＞
蓋２を平面側から見た斜視図を図２に示している。蓋２は、容器本体１の上面開口部を閉塞できるものであればよく、その形状、構造は問わない。本実施形態では、容器本体１の上面開口部が平面視正方形状であるのでそれに対応して蓋２は平面視正方形状であり、また、蓋２には、容器本体１の内側に嵌合する内嵌合構造が採用されている。即ち、蓋２は、容器本体１の内嵌合部３２に嵌合する内嵌合部５０を備えていて、内嵌合部５０の上端から外側に向けてフランジ部５１が延設されている。フランジ部５１は略水平な水平部５１ａを有している。該水平部５１ａは、内嵌合部５０の上端から外側に向けて延設されている。閉蓋状態において、蓋２のフランジ部５１の水平部５１ａは、容器本体１のフランジ部の水平部１２ａと上下に重なり合って、互いに当接するか、あるいは、若干の隙間を介して対峙する。フランジ部５１には容器本体１と同様の外周縁部５１ｂを設けてよい。蓋２の外周縁部５１ｂには容器本体１の外周縁部１２ｃと同様の多数の凹凸を形成してよい。尚、蓋２の外周縁部５１ｂの角部には摘み部５１ｃを形成することが好ましい。
【００２８】
一方、蓋２は、内嵌合部５０及びフランジ部５１の内側に天面部５２を備えている。天面部５２は、フランジ部５１の水平部５１ａよりも高さが低くなっている。図７のように閉蓋状態の包装用容器を上下逆向きに陳列した際に、蓋２のフランジ部５１の水平部５１ａが設置面となる。その際、蓋２の天面部５２は設置面よりも高い位置となる。更に、天面部５２の高さは、内嵌合部５０の下端と同じ高さがそれよりも低い高さとしてよい。
【００２９】
天面部５２の周縁部の所定箇所には、閉蓋状態の包装用容器を上下に積み重ねた際に、上下の包装用容器同士の水平方向の相対的な位置ずれを抑制するための位置ずれ防止用の突起５３が上方に向けて突設されていることが好ましい。突起５３の形状や配置は種々であってよい。突起５３の形状や配置の代表例を図８に示している。図８（ａ）のように、天面部５２の各辺の辺中央部にそれぞれ突起５３を形成してよい。その場合、突起５３は各辺に沿って長い形状としてよい。図２に示している蓋２は天面部５２の各辺の辺中央部にそれぞれ突起５３を形成した態様である。また、天面部５２の辺中央部ではなく天面部５２の角部に突起５３を設けてもよい。天面部５２の角部に突起５３を設ける場合には、縦横二方向（前後方向と左右方向の二方向）に設けることが好ましい。例えば、図８（ｂ）のように、天面部５２の角部にＬ字状に屈曲する突起５３を設けてよい。また、縦横二方向に連続する形状ではなく、図８（ｃ）のように天面部５２の角部に縦方向と横方向が互いに分離したハの字状の突起５３を設けてもよい。尚、四つの角部の全てに突起５３を設けてもよいし、全ての角部に設けるのではなく、例えば、対角線上に位置する一対の角部のみに突起５３を設けるようにしてもよい。更に、図８（ｄ）のように天面部５２の周縁部の全周に連続した突起５３を設けてもよい。何れにしても天面部５２の周縁部には、容器同士の縦横二方向の位置ずれを防止できるように突起５３を形成することが好ましい。閉蓋状態の包装用容器を上下に積み重ねた際に、下側の包装用容器における蓋２の天面部５２の突起５３の内側に、その上側に積み重ねられた包装用容器の容器本体１の底面部１０が係合することによって、包装用容器同士の水平方向の位置ずれが防止される。尚、閉蓋状態の包装用容器を上下逆向きとし、上下逆向きの包装用容器同士を上下に積み重ねた場合には、下側の包装用容器の底面部１０が、上側の包装用容器における蓋２の天面部５２の突起５３の内側に係合する。
【００３０】
容器本体１の側壁主部３０の上端や蓋２の側壁部の下端やなどには、容器本体１同士、あるいは、蓋２同士を積重ねた際に、容器本体１同士もしくは蓋２同士が互いににはまり込んでブロックしてしまわないように、ブロッキング防止の突起（図示省略）が設けられてよい。このブロッキング防止突起は、例えば蓋２の場合、蓋２が熱成形された後の工程において、複数の蓋２を重ね合わせる（スタッキングする）際に、重ねられた複数の蓋２同士が密着して離れ難くなることを防止するものである。このブロッキング防止突起により、重ねられた複数の蓋２を個々の蓋２に分離させることが容易となる。このブロッキング防止突起は、合成樹脂製シートから同時に成形される複数の蓋２ごとに、別々の位置に複数設けられている。よって、同時に成形され、その後に重ね合わされた複数の蓋２におけるブロッキング防止突起が同一の位置に存在しないようにできるため、蓋２同士が密着してしまうことを有効に防止できる。容器本体１の場合も同様である。
【００３１】
容器本体１及び蓋２はいわゆるシート成形により形成される。シート成形としては例えば真空成形、圧空成形、真空圧空成形、両面真空成形、熱板成形等があり、何れにしても合成樹脂シートを熱成形することにより形成される。合成樹脂シートは、例えばポリエチレンテレフタレート、ポリスチレンやポリプロピレンやポリエチレンなどのポリオレフィンなどからなるシート、これらのシート素材として無機物を充填したシート、これらのシートを一軸又は二軸延伸させた延伸シートなどを使用できる。特に、これらのシートの中でも、透明性に優れたシートが好ましく、収容した食品を良好に視認できるので好適である。食品等を収容させるための容器本体１には、通常、０．２〜１ｍｍ程度の厚みの樹脂シートを用いることが好ましい。
【００３２】
以上のように形成された包装用容器にあっては、容器本体１にカットフルーツ等の食品を収容し、容器本体１の内嵌合部３２の内側に蓋２の内嵌合部５０を嵌合させて閉蓋状態とする。特に、蓋２を容器本体１に内嵌合させる構造であるため、水分を含んでいる食品を収容しても収容物の水分が包装用容器の外部に漏れ出しにくい。また、容器本体１と蓋２の双方が透明であって包装用容器の全体が透明であるため、収容物の視認性に優れており、あらゆる角度から収容物を視認できる。そして、容器本体１の底面部１０や側壁主部３０の上部傾斜面２０ｂ及び下部傾斜面２０ａにリブ等の凹凸形状が形成されておらず、容器本体１の底面部１０や側壁主部３０の上部傾斜面２０ｂ及び下部傾斜面２０ａが平滑面となっているので、収容物の鮮度やおいしさを購買者に強く伝えることができる。特に、図７のように容器本体１の底面部１０が上を向いた上下逆向きの陳列状態とすることに適しており、視認性に優れた容器本体１の底面部１０や側壁主部３０を通して収容物を鮮明あるいは明瞭に視認できる。
【００３３】
更に、側壁主部３０のコーナー部２１に曲面形状部２１ｂと平面形状部２１ａが形成されて曲面形状部２１ｂから平面形状部２１ａへと水平方向の断面形状が段差なく滑らかに連続して変化しているので、四つの壁面部２０や底面部１０にリブを設けなくても十分な強度を確保でき、また、リブ等を設けた構成に比して視認性を向上させることができる。コーナー部２１に縦方向の補強リブが形成されていないので、コーナー部２１においても視認性が低下せず、しかも、曲面形状部２１ｂから平面形状部２１ａへと水平方向の断面形状が滑らかに連続して変化していることから強度も十分に確保でき、強度と視認性という相反する課題を同時に解決することができる。特に、コーナー部２１における側壁主部３０の上部に縦方向の補強リブが形成されていないので、視認性の低下を防止できる。
【００３４】
また、急傾斜部３０ｂは緩傾斜部３０ａよりも上下方向の寸法が大きいので、そのコーナー部２１に曲面形状部２１ｂと平面形状部２１ａが形成されていることにより、側壁主部３０の視認性の低下が防止されると共に強度も容易に確保できる。また、急傾斜部３０ｂの下側に屈曲部３０ｃを介して緩傾斜部３０ａが形成されているので、リブ等を設けなくても側壁主部３０の強度が確保されやすい。更に、緩傾斜部３０ａにも平面形状部２１ａを形成して、コーナー部２１において、急傾斜部３０ｂの平面形状部２１ａと緩傾斜部３０ａの平面形状部２１ａとが屈曲部３０ｃを介して上下に隣り合っているので、屈曲部３０ｃが形成されていても、視認性の低下を防止でき、特に上下逆向きとした陳列形態において効果を発揮する。
【００３５】
尚、図１〜図７に示した包装用容器は、浅型のものであったが、それよりも深い容器であってもよい。例えば、図９〜図１３に上記実施形態の包装用容器よりも上下方向の寸法が大きくなった容器本体１の一例を示している。尚、蓋２は、図２のものを共用できる。
【００３６】
図９〜図１３に示す容器本体１では、コーナー部２１の下部に縦方向の補強リブ２２を形成している。このようにコーナー部２１の下部には補強リブ２２を形成してもよいが、視認性を低下させるので、できる限り短くしておく必要がある。従って、コーナー部２１に補強リブ２２を形成する場合であっても、コーナー部２１の側壁主部３０の全高に亘って形成するのではなく、上部には補強リブを形成せず、下部のみに補強リブ２２を形成するようにする。
【００３７】
図９〜図１３に示す容器本体１は、図１に示したものとは主として急傾斜部３０ｂの上下方向の寸法が異なっていて図１に示したものよりも長くなっている。コーナー部２１における急傾斜部３０ｂには上述したのと同様に曲面形状部２１ｂと形状変化部２１ｃと平面形状部２１ａが形成されている。補強リブ２２は、コーナー部２１における緩傾斜部３０ａに主として形成されており、補強リブ２２は、コーナー部２１における緩傾斜部３０ａの上下方向の全長に亘って形成されている。補強リブ２２は、図１３（ｃ）のように縦方向に延びる凹溝状であって、より具体的には水平方向断面視においてＶ字状である。補強リブ２２が形成されることにより、コーナー部２１における緩傾斜部３０ａの水平方向断面形状は、左右一対の円弧が並設した形状となっている。
【００３８】
補強リブ２２の下部２２ａは、底面部１０と側壁部との境界部分に形成された曲面部３３を下方に越えて底面部１０の周縁部まで達している。但し、補強リブ２２の下部２２ａは、曲面部３３から底面部１０へと向かうにつれて徐々に幅狭に形成されると共に徐々にその深さが浅くなっていく。補強リブ２２の上部２２ｂは、屈曲部３０ｃを上方に越えて急傾斜部３０ｂの下部まで延びている。但し、補強リブ２２の下部２２ａは、屈曲部３０ｃから上方に向かうほど徐々に幅狭に形成されると共に徐々にその深さが浅くなっていく。このように側壁主部３０のコーナー部２１の下部には補強リブ２２を形成すると共に、側壁主部３０のコーナー部２１の下部には曲面形状部２１ｂと形状変化部２１ｃと平面形状部２１ａを形成してもよい。
【符号の説明】
【００３９】
１    容器本体
２    蓋
１０    底面部
１２ａ  水平部（フランジ部）
１２ｂ  スカート部
１２ｃ  外周縁部
２０    壁面部
２０ａ  下部傾斜面
２０ｂ  上部傾斜面
２１    コーナー部
２１ａ  平面形状部
２１ｂ  曲面形状部
２１ｃ  形状変化部
２２    補強リブ
２２ａ  下部
２２ｂ  上部
３０    側壁主部（側壁部）
３０ａ  緩傾斜部
３０ｂ  急傾斜部
３０ｃ  屈曲部
３１    段差部
３２    内嵌合部
３３    曲面部
５０    内嵌合部
５１    フランジ部
５１ａ  水平部
５１ｂ  外周縁部
５１ｃ  摘み部
５２    天面部
５３    突起
【図１】
2018100094.tif 000003
【図２】
2018100094.tif 000004
【図３】
2018100094.tif 000005
【図４】
2018100094.tif 000006
【図５】
2018100094.tif 000007
【図６】
2018100094.tif 000008
【図７】
2018100094.tif 000009
【図８】
2018100094.tif 000010
【図９】
2018100094.tif 000011
【図１０】
2018100094.tif 000012
【図１１】
2018100094.tif 000013
【図１２】
2018100094.tif 000014
【図１３】
2018100094.tif 000015
【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
多角形状の底面部と該底面部の周縁から上方に延びる側壁部とを備え、該側壁部の形状は、水平方向の断面から見て、下端から上面開口部までの全長に亘って、底面部の辺の数に対応した数の壁面部を有する多角形状である透明の包装用容器であって、
側壁部の各コーナー部には、水平方向断面形状が外側に湾曲した曲線状である曲面形状部と、該曲面形状部の下側に位置し、水平方向断面形状が直線状である平面形状部とが設けられ、
曲面形状部から平面形状部まで水平方向断面形状が段差なく連続的に変化していることを特徴とする包装用容器。
【請求項２】
側壁部は、底面部に対する傾斜角度が相対的に小さい緩傾斜部と、該緩傾斜部の上側に屈曲部を介して延設され、底面部に対する傾斜角度が相対的に大きく且つ緩傾斜部よりも上下方向の寸法が大きい急傾斜部とを備え、該急傾斜部におけるコーナー部に曲面形状部と平面形状部が形成されている請求項１記載の包装用容器。
【請求項３】
透明の容器本体と該容器本体に嵌合される透明の蓋とを備え、容器本体は、多角形状の底面部と該底面部の周縁から上方に延びる側壁部とを備え、該側壁部の形状は、水平方向の断面から見て、下端から上面開口部までの全長に亘って、底面部の辺の数に対応した数の壁面部を有する多角形状である包装用容器であって、
側壁部の各コーナー部には、水平方向断面形状が外側に湾曲した曲線状である曲面形状部と、該曲面形状部の下側に位置し、水平方向断面形状が直線状である平面形状部とが設けられ、
曲面形状部から平面形状部まで水平方向断面形状が段差部なく連続的に変化していることを特徴とする包装用容器。
【手続補正２】
【補正対象書類名】明細書
【補正対象項目名】０００７
【補正方法】変更
【補正の内容】
【０００７】
即ち、本発明に係る包装用容器は、多角形状の底面部と該底面部の周縁から上方に延びる側壁部とを備え、該側壁部の形状は、水平方向の断面から見て、下端から上面開口部までの全長に亘って、底面部の辺の数に対応した数の壁面部を有する多角形状である透明の包装用容器であって、側壁部の各コーナー部には、水平方向断面形状が外側に湾曲した曲線状である曲面形状部と、該曲面形状部の下側に位置し、水平方向断面形状が直線状である平面形状部とが設けられ、曲面形状部から平面形状部まで水平方向断面形状が段差なく連続的に変化していることを特徴とする。
【手続補正３】
【補正対象書類名】明細書
【補正対象項目名】００１０
【補正方法】変更
【補正の内容】
【００１０】
また、本発明に係る包装用容器は、透明の容器本体と該容器本体に嵌合される透明の蓋とを備え、容器本体は、多角形状の底面部と該底面部の周縁から上方に延びる側壁部とを備え、該側壁部の形状は、水平方向の断面から見て、下端から上面開口部までの全長に亘って、底面部の辺の数に対応した数の壁面部を有する多角形状である包装用容器であって、側壁部の各コーナー部には、水平方向断面形状が外側に湾曲した曲線状である曲面形状部と、該曲面形状部の下側に位置し、水平方向断面形状が直線状である平面形状部とが設けられ、曲面形状部から平面形状部まで水平方向断面形状が段差部なく連続的に変化していることを特徴とする。